(57)【要約】【課題】外装筐体を解体することなく光源装置を交換可能な構造を採用した場合であっても、光源装置を効率的に冷却できるプロジェクターを提供する。【解決手段】プロジェクター１は、光源装置３１と、光源装置３１に空気を吐出して冷却するシロッコファン５と、光源装置３１の配設位置に対応した位置に光源装置３１を交換するための交換用開口部２１１が形成された外装筐体２とを備える。光源装置３１を構成するランプハウジング４には、シロッコファン５から吐出された空気を導入するための導入用開口部４１２Ａが形成されている。また、プロジェクター１は、シロッコファン５を支持し、シロッコファン５の吐出口５２が導入用開口部４１２Ａに接続する接続位置、または吐出口５２が導入用開口部４１２Ａに離間した離間位置に移動する移動部材６１を備える。【選択図】図６
2010181456.tif 000002
【特許請求の範囲】
【請求項１】
光源装置と、前記光源装置に空気を吐出して冷却するシロッコファンと、前記光源装置の配設位置に対応した位置に前記光源装置を交換するための交換用開口部が形成された外装筐体とを備えたプロジェクターであって、
前記光源装置は、
光源ランプと、前記光源ランプを内部に収納するとともに、前記交換用開口部を介して前記外装筐体内外に着脱可能とするランプハウジングとを備え、
前記ランプハウジングには、
前記シロッコファンから吐出された空気を導入するための導入用開口部が形成され、
前記シロッコファンを支持し、前記シロッコファンの吐出口が前記導入用開口部に接続する接続位置、または前記吐出口が前記導入用開口部に離間した離間位置に移動する移動部材を備える
ことを特徴とするプロジェクター。
【請求項２】
請求項１に記載のプロジェクターにおいて、
前記移動部材は、
所定の回転軸を中心として回動可能に構成され、回動することで前記接続位置または前記離間位置に移動し、
前記ランプハウジングには、
前記交換用開口部を介して前記光源装置が前記外装筐体内部に挿入される際に、前記シロッコファンまたは前記移動部材を押圧して前記移動部材を前記接続位置に移動させる押圧部が設けられている
ことを特徴とするプロジェクター。
【請求項３】
請求項２に記載のプロジェクターにおいて、
前記移動部材を前記離間位置に向けて付勢する付勢部材を備える
ことを特徴とするプロジェクター。
【請求項４】
請求項２または請求項３に記載のプロジェクターにおいて、
前記ランプハウジングは、
前記シロッコファン側から凸状に膨出し、前記シロッコファン側に導入用開口部が形成された空気導入部を有し、
前記押圧部は、
前記空気導入部に設けられている
ことを特徴とするプロジェクター。
【発明の詳細な説明】
【技術分野】
【０００１】
本発明は、プロジェクターに関する。
【背景技術】
【０００２】
従来、外装筐体を解体することなく、光源装置を新たな光源装置に交換可能とするプロジェクターが提案されている（例えば、特許文献１参照）。
特許文献１に記載のプロジェクターでは、光源装置は、光源ランプ及びリフレクターがランプハウジングに収納されてユニット化されている。また、外装筐体には、光源装置の配設位置に対応して交換用開口部が形成され、この交換用開口部を閉塞するようにランプカバーが取り付けられている。
上記の構成により、利用者は、外装筐体からランプカバーを取り外し、交換用開口部を介してユニット化された光源装置を脱着することで、新たな光源装置に交換できる。
【０００３】
また、特許文献１に記載のプロジェクターでは、光源装置を冷却するために、シロッコファンを採用している。そして、このプロジェクターでは、空気を導入するための導入用開口部をランプハウジングに形成し、導入用開口部を介してシロッコファンから吐出された空気をランプハウジングに導入させ、ランプハウジング内部の光源ランプ等を冷却している。
【先行技術文献】
【特許文献】
【０００４】
【特許文献１】特開２００２−１０７８２３号公報
【発明の概要】
【発明が解決しようとする課題】
【０００５】
ところで、特許文献１に記載のプロジェクターでは、シロッコファンの吐出方向と、光源装置の脱着方向とが略直交するように構成されている。すなわち、光源装置を脱着する際に、ランプハウジングと、外装筐体内部に固定されたシロッコファンとが機械的に干渉しやすい構成となっている。このため、特許文献１に記載のプロジェクターでは、光源装置を外装筐体内部に装着した状態で、ランプハウジングの導入用開口部と、シロッコファンとの吐出口との間に所定の隙間を空けておく必要がある。
しかしながら、上記のように隙間を設けて場合には、シロッコファンから吐出された空気の一部は、前記隙間を介して逃げてしまうこととなり、光源装置の冷却効率が低下してしまう、という問題がある。
【０００６】
本発明の目的は、外装筐体を解体することなく光源装置を交換可能な構造を採用した場合であっても、光源装置を効率的に冷却できるプロジェクターを提供することにある。
【課題を解決するための手段】
【０００７】
本発明のプロジェクターは、光源装置と、前記光源装置に空気を吐出して冷却するシロッコファンと、前記光源装置の配設位置に対応した位置に前記光源装置を交換するための交換用開口部が形成された外装筐体とを備えたプロジェクターであって、前記光源装置は、光源ランプと、前記光源ランプを内部に収納するとともに、前記交換用開口部を介して前記外装筐体内外に着脱可能とするランプハウジングとを備え、前記ランプハウジングには、前記シロッコファンから吐出された空気を導入するための導入用開口部が形成され、前記シロッコファンを支持し、前記シロッコファンの吐出口が前記導入用開口部に接続する接続位置、または前記吐出口が前記導入用開口部に離間した離間位置に移動する移動部材を備えることを特徴とする。
【０００８】
本発明では、外装筐体に交換用開口部が形成され、ランプハウジングが外装筐体内外に着脱可能に構成されているため、交換用開口部を介して、交換用開口部の開口面に略直交する方向に光源装置を脱着でき、すなわち、外装筐体を解体することなく光源装置を交換できる。
ここで、プロジェクターは、シロッコファンを支持し、上述した接続位置または離間位置に移動する移動部材を備える。このことにより、光源装置を外装筐体内部に装着する前に移動部材を離間位置に移動させておき、光源装置を装着した際に移動部材を接続位置に移動させることで、光源装置が装着された状態で、シロッコファンの吐出口をランプハウジングの導入用開口部に接続できる。
このため、光源装置が装着された状態（プロジェクターの使用時）において、吐出口と導入用開口部との間に隙間が空くことがなく、すなわち、シロッコファンから吐出された空気が前記隙間から逃げることなくランプハウジングに良好に導入されることとなり、光源装置を効率的に冷却できる。
また、シロッコファンから吐出された空気が前記隙間から逃げることで生じる風切音もなくすことができるため、プロジェクターの静粛性を確保できる。
さらに、光源装置を効率的に冷却できるため、最低限必要とされる回転数でシロッコファンを駆動させることができる。このため、シロッコファンの駆動時の騒音を低減させてプロジェクターの静粛性を十分に確保できるとともに、シロッコファンの消費電力も低減できる。
【０００９】
本発明のプロジェクターでは、前記移動部材は、所定の回転軸を中心として回動可能に構成され、回動することで前記接続位置または前記離間位置に移動し、前記ランプハウジングには、前記交換用開口部を介して前記光源装置が前記外装筐体内部に挿入される際に、前記シロッコファンまたは前記移動部材を押圧して前記移動部材を前記接続位置に移動させる押圧部が設けられていることが好ましい。
【００１０】
本発明では、ランプハウジングに上述した押圧部が設けられているので、利用者により交換用開口部を介して光源装置が外装筐体内部に挿入される際に、押圧部にてシロッコファンまたは移動部材を押圧して回動させ、移動部材を接続位置に移動させることができる。すなわち、利用者は、移動部材を手動で接続位置に移動させる必要がなく、交換用開口部を介して光源装置を外装筐体内部に挿入する際に、光源装置の挿入に連動させて移動部材を接続位置に移動させることができる。したがって、使い勝手の良い構造を実現できる。
【００１１】
本発明のプロジェクターでは、前記移動部材を前記離間位置に向けて付勢する付勢部材を備えることが好ましい。
ところで、光源装置が外装筐体内部に挿入される際に、移動部材が既に接続位置に位置付けられている場合には、光源装置の挿入時に、光源装置とシロッコファンの吐出口とが機械的に干渉してしまい、光源装置を外装筐体内部に装着することができない。
本発明では、プロジェクターが上述した付勢部材を備えるので、移動部材は、押圧部による押圧が解除された際には、付勢部材による付勢力により、離間位置に移動することとなる。このため、利用者は、光源装置を外装筐体内部に挿入する際に、移動部材を手動で離間位置に移動させる必要がなく、簡単に光源装置を外装筐体内部に装着できる。したがって、さらに使い勝手の良い構造を実現できる。
【００１２】
本発明のプロジェクターでは、前記ランプハウジングは、前記シロッコファン側から凸状に膨出し、前記シロッコファン側に導入用開口部が形成された空気導入部を有し、前記押圧部は、前記空気導入部に設けられていることが好ましい。
ところで、押圧部は、上述したように、シロッコファンまたは移動部材を押圧して移動部材を回動させる部分であるため、例えば、押圧部が導入用開口部から離間した位置に形成されている場合には、シロッコファンや移動部材における吐出口から離間した部位を押圧することとなる。このため、押圧部によるシロッコファンまたは移動部材の押圧により、移動部材が捩じれた状態で回動し、導入用開口部に対して吐出口がずれた状態（隙間のある状態）で接続してしまう恐れがある。
【００１３】
本発明では、押圧部は、ランプハウジングにおける上述した空気導入部に設けられている。すなわち、押圧部は、導入用開口部に近接した位置に設けられ、シロッコファンや移動部材における吐出口に近接した部位を押圧することとなる。このため、押圧部によるシロッコファンまたは移動部材の押圧により、移動部材が捩じれた状態で回動することがなく、導入用開口部に対して吐出口をずれのない状態で良好に接続でき、上述した光源装置を効率的に冷却できるという効果を好適に図れる。
【図面の簡単な説明】
【００１４】
【図１】本実施形態におけるプロジェクターの概略構成を示す図。
【図２】前記実施形態におけるプロジェクターの概略構成を示す図。
【図３】前記実施形態における光源装置の外観構成を示す図。
【図４】前記実施形態における光源装置の外観構成を示す図。
【図５】前記実施形態における光源装置の外観構成を示す図。
【図６】前記実施形態におけるシロッコファン及び移動機構の構成を示す図。
【図７】前記実施形態におけるシロッコファン及び移動機構の構成を示す図。
【図８】前記実施形態におけるシロッコファン及び移動機構の構成を示す図。
【図９】前記実施形態におけるシロッコファン及び移動機構の構成を示す図。
【発明を実施するための形態】
【００１５】
以下、本発明の実施の一形態を図面に基づいて説明する。
〔プロジェクターの構成〕
図１及び図２は、本実施形態におけるプロジェクター１の概略構成を示す図である。具体的に、図１は、プロジェクター１を背面側（投射レンズ３６が配置された側と反対側）から見た斜視図である。図２は、プロジェクター１の内部を模式的に示した図である。
プロジェクター１は、画像情報に応じた画像を形成してスクリーン（図示略）上に投射する。このプロジェクター１は、図１または図２に示すように、外装を構成する外装筐体２と、外装筐体２内部に配設される光学ユニット３（図２）、シロッコファン５（図２）、及び移動機構６（図２）とで大略構成されている。
【００１６】
〔外装筐体の構成〕
外装筐体２は、図１に示すように、鉛直方向に交差する天面部２１及び底面部２２と、光学ユニット３における後述する投射レンズ３６が配設される前面側の前面部２３と、前面側の反対側（背面側）の背面部２４と、側面部２５，２６とを備え、略直方体形状を有する。
この外装筐体２において、天面部２１には、光学ユニット３の後述する光源装置３１の配設位置に対応して交換用開口部２１１が形成されている。
なお、図示を省略したが、外装筐体２には、交換用開口部２１１を閉塞するランプカバーが着脱可能に取り付けられるものである。
すなわち、利用者は、外装筐体２から前記ランプカバーを取り外すことで、交換用開口部２１１を介して鉛直軸に沿って光源装置３１を脱着することで、光源装置３１を交換可能とする。
また、天面部２１裏面には、交換用開口部２１１の縁部分から底面部２２側に向けて突出する平面視矩形枠状のリブ２１２が形成されている。
【００１７】
〔光学ユニットの構成〕
光学ユニット３は、制御装置（図示略）による制御の下、画像情報（画像信号）に応じて画像を形成して投射する。
この光学ユニット３は、図２に示すように、光源ランプ３１１、リフレクター３１２、平行化レンズ３１３、及びランプハウジング４を有する光源装置３１と、レンズアレイ３２１，３２２、偏光変換素子３２３、及び重畳レンズ３２４を有する照明光学装置３２と、ダイクロイックミラー３３１，３３２、及び反射ミラー３３３を有する色分離光学装置３３と、入射側レンズ３４１、リレーレンズ３４３、及び反射ミラー３４２，３４４を有するリレー光学装置３４と、光変調装置としての３つの液晶パネル３５１、３つの入射側偏光板３５２、３つの出射側偏光板３５３、及び色合成光学装置としてのダイクロイックプリズム３５４を有する光学装置３５と、光学装置３５にて形成された画像を投射する投射光学装置としての投射レンズ３６と、光学部品用筐体３７とを備える。
そして、光学ユニット３では、上述した構成により、光源装置３１から射出され照明光学装置３２を介した光束は、色分離光学装置３３にてＲ，Ｇ，Ｂの３つの色光に分離される。また、分離された各色光は、各液晶パネル３５１にて画像情報に応じてそれぞれ変調される。変調された各色光は、プリズム３５４にて合成されて画像となり、投射レンズ３６にてスクリーンに投射される。
なお、光学部品３１１〜３１３，３２〜３６については、種々の一般的なプロジェクターの光学系として利用されているため、具体的な説明を省略し、以下では、光学部品用筐体３７及びランプハウジング４の構成のみを説明する。
【００１８】
〔光学部品用筐体の構成〕
光学部品用筐体３７は、図２に示すように、平面視Ｌ字形状を有し、内部に所定の照明光軸Ａｘが設定されている。そして、各光学部品３２〜３５は、光学部品用筐体３７の一端側から順に、照明光軸Ａｘに対する所定位置に収納される。
また、光学部品用筐体３７の一端側には、光源装置３１が装着される光源装着部３７１が形成されている（図２、図６〜図９参照）。
この光源装着部３７１は、光学部品用筐体３７の底面に沿って延出するように形成されている。そして、光源装置３１は、光源装着部３７１に装着されることで、当該光源装置３１から射出される光束の中心軸が照明光軸Ａｘに一致するように配設される。
【００１９】
〔ランプハウジングの構成〕
図３ないし図５は、光源装置３１の外観構成を示す図である。具体的に、図３及び図４は光源装置３１を光束出射側（以下、前方側）から見た斜視図であり、図５は光源装置３１を光束出射側と反対側（以下、後方側）から見た斜視図である。
ランプハウジング４は、光源ランプ３１１が一体化されたリフレクター３１２（以下、光源装置本体３１Ａ（図２））と平行化レンズ３１３とを支持し、これら各光学部品３１Ａ，３１３を一体化する。このランプハウジング４は、図３ないし図５に示すように、ハウジング本体４１と、遮蔽部材４２とを備える。
ハウジング本体４１は、光源装置３１から射出される光束の中心軸に沿って延出する筒状に形成されている。
より具体的に、ハウジング本体４１は、図３ないし図５に示すように、後方側に位置する第１筒状部４１１と、前方側に位置し第１筒状部４１１よりも外形の小さい第２筒状部４１２とが段差部４１３（図３、図４）を介して一体的に形成された筒形状を有する。
【００２０】
そして、光源装置本体３１Ａは、断面略凹状に拡がるリフレクター３１２における前方側の端部が段差部４１３に当接し、バネ部材４３（図３、図４）にてリフレクター３１２及び段差部４１３が挟持されることでハウジング本体４１に固定される。
また、平行化レンズ３１３は、第２筒状部４１２における前方側の端部に当接した状態で、板バネ４４（図３、図４）にて第２筒状部４１２に向けて付勢されることでハウジング本体４１に固定される。
上述したようにハウジング本体４１に光源装置本体３１Ａ及び平行化レンズ３１３が固定されることで、ハウジング本体４１における後方側の開口部分が光源装置本体３１Ａにて閉塞され、前方側の開口部分が平行化レンズ３１３にて閉塞され、ハウジング本体４１、光源装置本体３１Ａ及び平行化レンズ３１３にて囲まれた空間Ａｒ（図３、図４）が形成される。
【００２１】
第１筒状部４１１において、天面部２１側の端面には、図３ないし図５に示すように、交換用開口部２１１を介して光源装置３１を交換する際に、利用者により把持される略Ｕ字状の把持部４１１Ａが形成されている。
さらに、第１筒状部４１１において、前方側から見て左右両側の端面には、図３ないし図５に示すように、水平面に沿って突出し、光源装着部３７１に固定するための固定部４１１Ｂがそれぞれ形成されている。
そして、光源装置３１は、光源装着部３７１における天面部２１側に向けて立設された一対の支持部３７１Ａ（図６〜図９参照）に一対の固定部４１１Ｂを載置し、各固定部４１１Ｂに回転可能に取り付けられた固定ネジＳｃ１（図３〜図９）を各支持部３７１Ａに螺合することで、光源装着部３７１に装着される。
【００２２】
第２筒状部４１２において、前方側から見て右側の端面には、前記端面略全体に亘る開口部（図示略）が形成され、前記開口部を閉塞するように接続部材４５が接続されている（図３〜図５）。
この接続部材４５は、前方側から見て右側から左側に向けて凸状に膨出するように形成されているとともに、膨出した先端に向うにしたがって内部の開口面積が次第に小さくなるように形成されている。
この接続部材４５において、膨出した先端部分には、図３または図５に示すように、前方側から見て右側（シロッコファン５）に向けて凹状に膨出する空気導入部４５１が形成されている。
この空気導入部４５１は、平面視矩形形状を有する導入用開口部４１２Ａ（図３、図５）が形成されている。
そして、導入用開口部４１２Ａにより、上述した空間Ａｒとハウジング本体４１外部とが連通する。
すなわち、導入用開口部４１２Ａを介して接続部材４５に導入された空気は、接続部材４５を介して空間Ａｒに導入され、光源ランプ３１１、リフレクター３１２、及びハウジング本体４１内面等を冷却する。
【００２３】
また、第２筒状部４１２において、前方側から見て左側の端面には、図４に示すように、導入用開口部４１２Ａに対向する位置に排出用開口部４１２Ｂが形成されている。
そして、排出用開口部４１２Ｂにより、上述した空間Ａｒとハウジング本体４１外部とが連通する。
すなわち、導入用開口部４１２Ａを介して空間Ａｒに導入され、光源ランプ３１１等を冷却した後の空気は、排出用開口部４１２Ｂを介してハウジング本体４１外部に排出される。
【００２４】
遮蔽部材４２は、図３ないし図５に示すように、第１筒状部４１１の後方側に取り付けられ、リフレクター３１２の後方側を覆う部材である。
【００２５】
〔シロッコファン及び移動機構の構成〕
図６ないし図９は、シロッコファン５及び移動機構６の構成を示す図である。具体的に、図６及び図８は、外装筐体２の一部を破断し、光源装置３１とシロッコファン５及び移動機構６との位置関係を光源装置３１の後方側（側面部２６側）から見た斜視図である。図７及び図９は、光源装置３１とシロッコファン５及び移動機構６との位置関係を光源装置３１の後方側から見た図である。また、図６及び図７は光源装置３１が光源装着部３７１に装着される直前の状態を示し、図８及び図９は光源装置３１が光源装着部３７１に装着された状態を示している。
シロッコファン５は、ランプハウジング４の導入用開口部４１２Ａを介して空間Ａｒに空気を吐出し、光源ランプ３１１等を冷却する。このシロッコファン５は、図６ないし図９に示すように、光源装置３１と背面部２４との間に配設され、空気を吸入する吸入口５１（図６、図８）が天面部２１側に向き、空気を吐出する吐出口５２が前面部２３側に向く姿勢で移動機構６に支持固定される。
すなわち、本実施形態のプロジェクター１では、シロッコファン５の吐出方向と、光源装置３１の脱着方向（鉛直軸に沿う方向）とが略直交するように構成されている。
【００２６】
移動機構６は、シロッコファン５を支持し、吐出口５２が導入用開口部４１２Ａに離間した離間位置（図６、図７）、または吐出口５２が導入用開口部４１２Ａに接続する接続位置（図８、図９）に移動する。この移動機構６は、図６ないし図９に示すように、移動部材６１と、付勢部材６２とを備える。
移動部材６１は、図６ないし図９に示すように、基体６１１と、一対の起立片６１２と、押圧受け部６１３とを備える。
基体６１１は、矩形状の板体で構成され、天面部２１側の端面にシロッコファン５が載置固定される部分である。
【００２７】
一対の起立片６１２は、基体６１１における互いに対向する端縁６１１Ａ，６１１Ｂ（前面部２３側から背面部２４側に延びる一対の端縁）から底面部２２側に垂下した板体形状を有し、底面部２２に取り付けられる部分である。
これら一対の起立片６１２は、同様の形状を有し、基部６１２Ａと、取付部６１２Ｂとで構成される。
基部６１２Ａは、端縁６１１Ａ，６１１Ｂ（図６、図８）から底面部２２側に垂下し、端縁６１１Ａ，６１１Ｂに沿って延びる平面視矩形形状を有する。
取付部６１２Ｂは、基部６１２Ａの先端部分における前面部２３側の略半分を占める部位から、基部６１２Ａに沿って底面部２２側に延びるように形成されている。また、取付部６１２Ｂは、底面部２２側に向うにしたがって、幅寸法が小さくなるように形成されている。
【００２８】
これら取付部６１２Ｂは、各先端部分が底面部２２裏面に立設された一対の移動部材取付部２２１（図６〜図９）を両側から挟むように位置付けられる。
そして、移動部材６１は、各取付部６１２Ｂの先端部分に形成された円孔（図示略）を介して一対の取付ネジＳｃ２（図６〜図９）を挿通して各移動部材取付部２２１に形成されたネジ孔（図示略）に螺合することで、各移動部材取付部２２１に取り付けられる。
ここで、各取付ネジＳｃ２は、図６ないし図９に示すように、底面部２２に略平行な状態（交換用開口部２１１に略平行な状態）で、投射側から見て左右方向に軸が向くように各移動部材取付部２２１に螺合している。
したがって、移動部材６１は、図６ないし図９に示すように、各取付ネジＳｃ２の軸ＲＡｘ（回転軸）を中心として回動可能に各移動部材取付部２２１に取り付けられ、回動することで離間位置（図６、図７）または接続位置（図８、図９）に移動する。
【００２９】
押圧受け部６１３は、基体６１１における前面部２３側の端縁６１１Ｃ（図７、図９）から前面部２３側に突出し、端縁６１１Ｃに沿って延びる形状を有している。
また、押圧受け部６１３は、天面部２１側の端面が基体６１１における天面部２１側の端面から段落ち形成された平坦状に形成されている。
さらに、押圧受け部６１３は、天面部２１側から見た場合に、回転軸ＲＡｘよりも前面部２３側に設けられているとともに、空気導入部４５１にて略全てが隠れる位置に設けられている。
【００３０】
付勢部材６２は、図６ないし図９に示すように、引張りコイルバネで構成され、一端が底面部２２に立設された付勢部材取付部２２２に接続し、他端が基部６１２Ａにおける背面部２４側に接続する。
そして、付勢部材６２は、引張り荷重を受けていない状態で、図８または図９に示すように、移動部材６１を離間位置に位置付ける。また、付勢部材６２は、引張り荷重を受けた状態で、伸張し移動部材６１を離間位置に付勢する。
【００３１】
〔移動機構の動作〕
次に、上述した移動機構６の動作について図６ないし図９を参照して説明する。
先ず、移動機構６は、利用者にて光源装置３１が光源装着部３７１に装着される際には、以下に示すように動作する。
すなわち、図６または図７に示すように、光源装置３１が交換用開口部２１１を介して外装筐体２内部に挿入されると、空気導入部４５１の底面部２２側の端面４５１Ａが移動機構６の押圧受け部６１３の天面部２１側の端面に当接する。
また、利用者により各固定部４１１Ｂが各支持部３７１Ａに当接するまで光源装置３１が底面部２２側に押圧されると、移動部材６１は、端面４５１Ａにより押圧受け部６１３が底面部２２側に押圧され、付勢部材６２の付勢力に抗して回転軸ＲＡｘを中心として回動し、離間位置（図６、図７）から接続位置（図８、図９）に移動する。
そして、上述した移動機構６の動作により、光源装置３１が光源装着部３７１に装着されると、図８または図９に示すように、シロッコファン５の吐出口５２が導入用開口部４１２Ａに接続する。
すなわち、上述した端面４５１Ａは、本発明に係る押圧部に相当する。
【００３２】
一方、移動機構６は、利用者にて光源装置３１が光源装着部３７１から取り外される際には、以下に示すように動作する。
すなわち、移動機構６は、光源装置３１が光源装着部３７１から取り外され、天面部２１側に持ち上げられると（図６、図７）、端面４５１Ａによる押圧受け部６１３への押圧が解除されるため、付勢部材６２の付勢力により、回転軸ＲＡｘを中心として回動し、接続位置（図８、図９）から離間位置（図６、図７）に移動する。
【００３３】
上述した本実施形態によれば、以下の効果がある。
本実施形態では、外装筐体２の天面部２１に交換用開口部２１１が形成され、ランプハウジング４が外装筐体２内部における交換用開口部２１１に対向する位置に配設される光源装着部３７１に着脱可能に構成されている。このため、交換用開口部２１１を介して、鉛直軸に沿って光源装置３１を脱着でき、すなわち、外装筐体２を解体することなく光源装置３１を交換できる。
ここで、プロジェクター１は、シロッコファン５を支持し、接続位置（図８、図９）または離間位置（図６、図７）に移動する移動部材６１を備える。このことにより、光源装置３１を光源装着部３７１に装着する前に移動部材６１を離間位置に移動させておき、光源装置３１を装着した際に移動部材６１を接続位置に移動させることで、光源装置３１が装着された状態で、シロッコファン５の吐出口５２をランプハウジング４の導入用開口部４１２Ａに接続できる。
このため、光源装置３１が装着された状態（プロジェクター１の使用時）において、吐出口５２と導入用開口部４１２Ａとの間に隙間が空くことがなく、すなわち、シロッコファン５から吐出された空気が前記隙間から逃げることなくランプハウジング４の空間Ａｒに良好に導入されることとなり、光源ランプ３１１等を効率的に冷却できる。
また、シロッコファン５から吐出された空気が前記隙間から逃げることで生じる風切音もなくすことができるため、プロジェクター１の静粛性も確保できる。
さらに、光源ランプ３１１等を効率的に冷却できるため、最低限必要とされる回転数でシロッコファン５を駆動させることができる。このため、シロッコファン５の駆動時の騒音を低減させてプロジェクター１の静粛性を十分に確保できるとともに、シロッコファン５の消費電力も低減できる。
【００３４】
また、ランプハウジング４に押圧部４５１Ａが設けられているので、利用者により交換用開口部２１１を介して光源装置３１が外装筐体２内部に挿入される際に、押圧部４５１Ａにて移動部材６１を押圧して回動させ、移動部材６１を接続位置に移動させることができる。すなわち、利用者は、移動部材６１を手動で接続位置に移動させる必要がなく、交換用開口部２１１を介して光源装置３１を外装筐体２内部に挿入する際に、光源装置３１の挿入に連動させて移動部材６１を接続位置に移動させることができる。したがって、使い勝手の良い構造を実現できる。
さらに、移動部材６１は、付勢部材６２により離間位置に付勢されているので、押圧部４５１Ａによる押圧が解除された際には、付勢部材６２による付勢力により、離間位置に移動することとなる。このため、利用者は、光源装置３１を外装筐体２内部に挿入する際に、移動部材６１を手動で離間位置に移動させる必要がなく、簡単に光源装置３１を光源装着部３７１に装着できる。したがって、さらに使い勝手の良い構造を実現できる。
【００３５】
また、押圧部４５１Ａは、空気導入部４５１における底面部２２側の端面で構成されている。すなわち、押圧部４５１Ａは、導入用開口部４１２Ａに近接した位置に設けられ、吐出口５２に近接した移動部材６１の押圧受け部６１３を押圧することとなる。このため、押圧部４５１Ａによる押圧受け部６１３の押圧により、移動部材６１が捩じれた状態で回動することがなく、導入用開口部４１２Ａに対して吐出口５２をずれのない状態で良好に接続でき、上述した光源ランプ３１１等を効率的に冷却できるという効果を好適に図れる。
【００３６】
さらに、押圧部４５１Ａが導入用開口部４１２Ａに近接した位置に設けられているので、押圧部４５１Ａによる押圧受け部６１３への押圧力により、吐出口５２を空気導入部４５１に強い力で押し付けることができ、吐出口５２と導入用開口部４１２Ａとを確実に接続できる。
また、押圧部４５１Ａが押圧受け部６１３を押圧する構成としているので、例えば、押圧部がシロッコファン５を押圧する構成と比較して、押圧部４５１Ａによる押圧時にシロッコファン５が変形することがなく、吐出口５２と導入用開口部４１２Ａとを確実に接続できる。
【００３７】
なお、本発明は前述の実施形態に限定されるものではなく、本発明の目的を達成できる範囲での変形、改良等は本発明に含まれるものである。
前記実施形態では、移動部材６１は、回転軸ＲＡｘを中心として回動することで、接続位置または離間位置に移動していたが、これに限らず、吐出口５２が導入用開口部４１２Ａに対して近接隔離するように移動部材６１を直線的に移動させて接続位置または離間位置に位置付ける構成としても構わない。
前記実施形態では、押圧部４５１Ａや押圧受け部６１３、及び付勢部材６２により、光源装置３１の脱着に移動部材６１が連動していたが、これに限らず、手動で移動部材６１を移動させる構成としても構わない。例えば、交換用開口部２１１を介して移動部材６１を手動で移動させてもよいし、あるいは、移動部材６１に接続する操作部材の一部を外装筐体２から露出するように設け、操作部材を操作することで移動部材６１を移動させる構成としても構わない。
【００３８】
前記実施形態では、シロッコファン５は、ランプハウジング４の空間Ａｒに空気を吐出する構成としていたが、これに限らず、光源装置３１の後方側に導入用開口部を設け、該導入用開口部を介してリフレクター３１２の後方側に空気を吐出する構成としても構わない。
前記実施形態では、押圧部４５１Ａは、空気導入部４５１に設けられていたが、これに限らず、ランプハウジング４のその他の部位に設けても構わない。また、押圧部４５１Ａは、移動部材６１（押圧受け部６１３）を押圧する構成としていたが、これに限らず、シロッコファン５を押圧する構成を採用しても構わない。
【００３９】
前記実施形態において、プロジェクター１は、３つの液晶パネル３５１を備える構成としたが、本発明はこれに限らない。すなわち、２つ以下、あるいは、４つ以上の液晶パネルを用いたプロジェクターにも、本発明を適用可能である。
前記実施形態において、光変調装置としては、透過型の液晶パネルの他、反射型の液晶パネルを採用しても構わない。また、光束を画像情報に応じて変調して画像を形成する光変調装置であれば、他の構成の光変調装置を採用しても構わない。例えば、マイクロミラーを用いたデバイスなど、液晶以外の光変調装置を用いたプロジェクターにも、本発明を適用可能である。このような光変調装置を用いた場合、光束入射側及び光束出射側の偏光板３５２，３５３は省略できる。
前記実施形態では、フロント投射型のプロジェクターの例のみを挙げたが、本発明は、スクリーンを備え、該スクリーンの裏面側から投射を行うリアタイプのプロジェクターにも適用可能である。
【産業上の利用可能性】
【００４０】
本発明のプロジェクターは、外装筐体を解体することなく光源装置を交換可能な構造を採用した場合であっても、光源装置を効率的に冷却できるため、プレゼンテーションやホームシアターに用いられるプロジェクターとして利用できる。
【符号の説明】
【００４１】
１・・・プロジェクター、２・・・外装筐体、４・・・ランプハウジング、５・・・シロッコファン、３１・・・光源装置、５２・・・吐出口、６１・・・移動部材、６２・・・付勢部材、２１１・・・交換用開口部、３１１・・・光源ランプ、４１２Ａ・・・導入用開口部、４５１・・・空気導入部、４５１Ａ・・・端面（押圧部）、ＲＡｘ・・・回転軸。
【図１】
2010181456.tif 000003
【図２】
2010181456.tif 000004
【図３】
2010181456.tif 000005
【図４】
2010181456.tif 000006
【図５】
2010181456.tif 000007
【図６】
2010181456.tif 000008
【図７】
2010181456.tif 000009
【図８】
2010181456.tif 000010
【図９】
2010181456.tif 000011